(57)【要約】  リニア電気モータのステータのための積層体要素の環状スタックであって、各積層体要素（１０）は、相互に付設される２つの積層体部分（１３、１４）によって画定される、２つの外側軸方向伸長部（１２）および１つの内側軸方向伸長部（１１）を有し、且つ２つの積層体部分（１３、１４）の各々は、それぞれの嵌合領域（１５、１６）を呈し、その外形は少なくとも１つの第１の、および少なくとも１つの第２の積層体エッジ部分（２０、３０）を備え、その第２の積層体エッジ部分は、ある角度を成して第１の積層体エッジ部分（２０）に結合されており、積層体部分（１３、１４）の第１の積層体エッジ部分（２０）は、他方の積層体部分（１３、１４）の第１の積層体エッジ部分（２０）に嵌合され且つ付設され、積層体部分（１３、１４）の第２の積層体エッジ部分（３０）は、他方の積層体部分（１３、１４）の第２の積層体エッジ部分（３０）に付設される。
2007534285.tif 000002
【特許請求の範囲】
【請求項１】
積層体要素（１０）の環状スタック内に取り付けられた管状コイル（６）を有するリニア電気モータのステータを形成するための、積層体要素の環状スタックであり、各積層体要素（１０）は、それぞれの積層体要素（１０）を完成させるように、互いに付設される２つの積層体部分（１３、１４）によって画定される、２つの外側軸方向伸長部（１２）および１つの内側軸方向伸長部（１１）を有し、それぞれの嵌合領域（１５、１６）を呈する各積層体部分（１３、１４）は、他方の積層体部分（１３、１４）の嵌合領域（１５、１６）に設けられるそれぞれの突出部（１７）を嵌合し且つ保持するための少なくとも１つの凹部（１８）を有する、環状スタックであって、各嵌合領域（１５、１６）は、少なくとも１つの第１の、および少なくとも１つの第２の積層体エッジ部分（２０、３０）を備える外形を有し、第１の積層体エッジ部分（２０）は、積層体部分（１３、１４）の軸方向配列に少なくとも実質的に平行である配列に従って配置され、第２の積層体エッジ部分（３０）は、第１の積層体エッジ部分（２０）と角度を成して第１の積層体エッジ部分（２０）に結合され、積層体部分（１３、１４）の第１の積層体エッジ部分（２０）は、それぞれの積層体要素（１０）の形成時にその他の積層体部分（１３、１４）の第１の積層体エッジ部分（２０）に嵌合され且つ付設され、積層体部分（１３、１４）の第２の積層体エッジ部分（３０）は、それぞれの積層体要素（１０）の形成時にその他の積層体部分（１３、１４）の第２の積層体エッジ部分（２０）に付設されることを特徴とする、スタック。
【請求項２】
少なくとも１つの第１の、および１つの第２の積層体エッジ部分（２０、３０）は、嵌合領域（１６）のうち１つにおける凹部（１８）の少なくとも一部、および他の嵌合領域（１５）における突出部（１７）の一部を画定することを特徴とする、請求項１に記載のスタック。
【請求項３】
少なくとも１つの第１の、および１つの第２の積層体エッジ部分（２０、３０）は、少なくとも１つの凹部（１８）および少なくとも１つの突出部（１７）を画定することを特徴とする、請求項２に記載のスタック。
【請求項４】
嵌合領域（１６）の少なくとも１つの凹部（１８）は、他方の嵌合領域（１５）の突出部（１７）の第１のおよび第２の積層体エッジ部分（２０、３０）にそれぞれ嵌合され且つ付設されるように、少なくとも１つの第１の、および１つの第２の積層体エッジ部分（２０、３０）を呈することを特徴とする、請求項１に記載のスタック。
【請求項５】
嵌合領域（１６）は、それぞれの積層体部分（１４）の外部に開口される少なくとも１つの凹部（１８）、および凹部（１８）の内部に開口する付加的な凹部（１８ａ）を呈し、他方の嵌合領域（１５）には、他方の嵌合領域（１６）に設けられる凹部（１８）および付加的な凹部（１８ａ）にそれぞれ適合される、突出部（１７）および付加的な突出部（１７ａ）が設けられることを特徴とする、請求項１に記載のスタック。
【請求項６】
凹部（１８）および付加的な凹部（１８ａ）は、積層体部分（１３、１４）のアセンブリのための同一の軸方向配列に従って配置される、それらの軸を有することを特徴とする、請求項５に記載のスタック。
【請求項７】
少なくとも１つの凹部（１８）およびそれぞれの付加的な凹部（１８ａ）は、同軸であることを特徴とする、請求項６に記載のスタック。
【請求項８】
付加的な凹部（１８ａ）は、少なくとも１つの第２の積層体エッジ部分（３０）によって結合された２つの第１の積層体エッジ部分（２０）を有し、付加的な突出部（１７ａ）は、少なくとも１つの第２の積層体エッジ部分（３０）によって互いに結合される、２つの第１の積層体エッジ部分（２０）を有することを特徴とする、請求項５に記載のスタック。
【請求項９】
一方の積層体部分（１３）の嵌合領域（１５）の第２の積層体エッジ部分（３０）は、ストップ部分を画定し、且つ他方の積層体部分（１４）の嵌合領域（１６）の他の第２の積層体エッジ部分（３０）は、積層体部分（１３、１４）の固定時の前記ストップ部に対して嵌合される接合部分を画定することを特徴とする、請求項１に記載のスタック。
【請求項１０】
ストップおよび接合部分の第２の積層体エッジ部分（３０）は、それぞれの凹部（１８）および突出部（１７）の少なくとも一部を画定することを特徴とする、請求項９に記載のスタック。
【請求項１１】
一方の積層体部分（１３）の嵌合領域（１５）の第２の積層体エッジ部分（３０）は、ガイド手段を画定し、且つ他方の積層体部分（１４）の嵌合領域（１６）の他の第２の積層体エッジ部分（３０）は、積層体部分（１３、１４）の固定時の前記ガイド手段に適合されるガイドフォロー手段を画定することを特徴とする、請求項１に記載のスタック。
【請求項１２】
ガイド手段およびガイドフォロー手段の第２の積層体エッジ部分（３０）は、それぞれの凹部（１８）および突出部（１７）の少なくとも一部分を画定することを特徴とする、請求項１１に記載のスタック。
【請求項１３】
各それぞれの嵌合領域（１５、１６）の凹部（１８）および突出部（１７）は、対応する積層体部分（１３、１４）の全幅を占有することを特徴とする、請求項１に記載のスタック。
【請求項１４】
各それぞれの嵌合領域（１５、１６）の凹部（１８）および突出部（１７）は、対応する積層体部分（１３、１４）の幅の一部のみを占有することを特徴とする、請求項１３に記載のスタック。
【請求項１５】
各それぞれの嵌合領域（１５、１６）の凹部（１８）および突出部（１７）は、対応する積層体部分（１３、１４）の幅の中央領域のみを占有することを特徴とする、請求項１４に記載のスタック。
【請求項１６】
相互に付設される２つの積層体部分（１３、１４）の嵌合領域（１５、１６）は、固定手段を受容することを特徴とする、請求項１に記載のスタック。
【請求項１７】
固定手段は、接着性材料によって画定されることを特徴とする、請求項１６に記載のスタック。
【発明の詳細な説明】
【技術分野】
【０００１】
本発明は、リニアモータのコイルを支持すべく設計された内部環状スタックを形成する、金属積層体（ｌａｍｉｎａｔｉｏｎ）の構成に関連している。
【背景技術】
【０００２】
リニアモータを用いる冷却の密封コンプレッサの製造においては、コンプレッサを形成するいくつかの構成要素があり、それらのうちの１つは、リニアモータである。このタイプのモータは、周囲に銅線が巻装されてリニアモータの誘導コイルを形成する、ステータの金属積層体の環状スタックから構成される。
【０００３】
リニアモータは、半径方向スタック、いわゆる外部環状スタックを形成し、かつ磁気インペラをその中で移動させる環状空間をステータによって画定する、金属積層体の他のアセンブリをさらに呈し、上記ピストンが、コンプレッサのシリンダの内部の圧縮操作を実行し得るように、その機能はコンプレッサのピストンの直線的な移動を生じさせる。
【０００４】
「Ｃ」または「Ｕ」形状の、またはデイジーの形態の積層体を呈し、可動部品にマグネットを支持して、軸対称のトポロジーと共にリニアステータの製造における積層体全部を用いることによって、リニアステータのための構成を画定する既知のプロセスが存在する（米国特許第４６０２１７４号明細書、米国特許第４３４６３１８号明細書、米国特許第４３４９７５７号明細書、米国特許第４４５４４２６号明細書、米国特許第４６２３８０８号明細書）。そのような解決策は、環状積層体構造におけるコイルの収容、国際電気絶縁規則に従った積層体構造からのコイルの絶縁、電力系周波数を示す往復運動の結果として得られる高加速度に起因してそこに印加される高い力を考慮に入れて剛体的に付設されなければならないコイルおよび／またはコイル巻線の固定のような、製造の態様に関するいくらかの困難性を呈する。
【０００５】
同一の出願人のブラジル国の同時係属特許第ＰＩ０２０３５０７．３号明細書においては、リニアモータの構成は、ステータを形成すべく互いに付設されるそれぞれの積層体スタック部分を画定する目的で、相互に対して横方向に嵌合されている、それらの等しく形成された積層体部分による２片の積層体を呈している。
【０００６】
この構成においては、積層体部分の１つには、ステータを形成するスタック部分の固定時に、その他の積層体部分にて画定される相補的な突出を受け入れる、それぞれの嵌合領域に凹部が設けられる。この解決策は、上述された従来技術の困難性を解決すると同時に、各金属積層体を形成する積層体部分の固定は、この固定が、２つの相補的な積層体部分の間に施される接着剤のビードを介してなされるとき、充分な強さの抗牽引および剪断力を提供せず、且つ積層体部分の変位によってモータの運転中に故障が起きるのを許容せずに、形成された積層体における周辺抵抗の領域を提供する。
【発明の開示】
【発明が解決しようとする課題】
【０００７】
したがって、本発明の目的とするところは、ステータのアセンブリ、特にその中のコイルが、上記ステータの内部で得られる銅線の最大化された巻線を可能とし、さらにリニアモータの運転中にステータに印加される力に抵抗するのに充分な強さを与えるため、形成された積層体スタックの金属積層体の固定を可能とする、リニアモータのステータを形成するための積層体スタックを提供することにある。
【０００８】
本発明の他の目的は、２つの部分に分割された積層体１０によって、且つ接着のため上記部分の固定により生成される付加的なギャップによって生成される、磁気損失を補償することを可能とする、上述されたような積層体スタックを提供することにある。
【課題を解決するための手段】
【０００９】
積層体要素の上記環状スタック内に取り付けられた管状コイルを有するリニア電気モータのステータを形成するための積層体要素のスタックであって、各積層体要素は、それぞれの積層体要素を完成させる目的で、互いに付設される２つの積層体部分によって画定される、２つの外側軸方向伸長部および１つの内側軸方向伸長部を有し、それぞれの嵌合領域を呈する各積層体部分が、他方の積層体部分の嵌合領域に設けられるそれぞれの突出部を嵌合し且つ保持するための少なくとも１つの凹部を有する積層体要素のスタックによって、これらの、および他の目的が達成される。
【００１０】
本発明によれば、各嵌合領域は、少なくとも１つの第１の、および少なくとも１つの第２の積層体エッジ部分を備える外形を有し、第１の積層体エッジ部分は、積層体部分の軸方向配列に少なくとも実質的に平行である配列に従って配置され、第２の積層体エッジ部分は、第１の積層体エッジ部分と角度を成して第１の積層体エッジ部分に結合され、積層体部分の第１の積層体エッジ部分は、それぞれの積層体要素の形成時にその他の積層体部分の第１の積層体エッジ部分に嵌合され且つ付設され、積層体部分の第２の積層体エッジ部分は、それぞれの積層体要素の形成時にその他の積層体部分の第２の積層体エッジ部分に付設される。
【００１１】
本発明は、既知の在来の従来技術構成の利点に加えて、在来の機械にてコイルを形成する銅線を巻装する可能性と、コイルのまわりに銅線の多量の巻線を得ることと、国際電気安全規則に従い、且つ在来のプロセスによって達成される上記絶縁によって、上記コイルの電気的絶縁のための要求に従うことと、全体としてコイルの銅巻線の固定の信頼性とを呈し、また、牽引および剪断力に抗するためによりよい条件を与えること、およびステータの２片の積層体の環状スタックの形成時に積層体部分の間に提供される固定から生じる磁気損失の補償という、付加的な利点を与える。
【００１２】
本発明は、添付された図面に基づいて以下に説明されるであろう。
【発明を実施するための最良の形態】
【００１３】
本発明は、冷却システムの密封コンプレッサに広く使用される、リニア電気モータのステータを形成する積層体のスタックの積層体の構造に適用され、上記コンプレッサは、シェル（図示せず）の内側に、リニアモータおよびシリンダ１によって形成される非共振アセンブリ、ならびにシリンダ１の内部において往復運動するピストン２によって形成される共振アセンブリを含むモータコンプレッサユニットと、シリンダ１の外部にあり、リニアモータの励起時に軸方向に推進されるべくマグネット４を支持する作動手段３とを備え、上記作動手段３は、ピストン２をリニアモータに動作的に結合する。
【００１４】
添付された図１に図解されているように、リニアモータは、シリンダ１およびピストン２のまわりに取り付けられ、且つ、互いに横方向に嵌合された複数の金属積層体要素１０によって形成され管状コイル６がその中に取り付けられる、内側環状スタック５と、複数の外側金属積層体によって形成される外部環状スタック７とを備えている。
【００１５】
各内側および外側環状スタックは、シリンダ１のまわりに、例えば内側環状スタック５を取り付けるために円筒状内面を画定して、通常スチールから作られる金属積層体の相互横方向嵌合によって形成される。
【００１６】
外側環状スタック７は、ステータと共に、その機能がシリンダ１の内側でピストン２の直線的な運動を生起させることである、作動手段３を内部で移動させる環状空間を形成する。
【００１７】
コンプレッサは、共振アセンブリおよび非共振アセンブリに対し一定の圧縮で取り付けられ、且つピストン２の変位に対して弾性的に且つ軸方向に変形可能である、在来の共振スプリング手段８をさらに含んでいる。
【００１８】
各積層体要素１０は、図示されるように、小さなほうの辺を内側軸方向伸長部１１に符合させて、積層体要素１０について台形断面を画定する、１つの内側軸方向伸長部１１および２つの外側軸方向伸長部１２を呈する（ｐｒｅｓｅｎｔ）。
【００１９】
各積層体要素１０は、少なくとも一方がそれぞれの積層体要素１０の内側軸方向伸長部１１の少なくとも一部を有する、２つの積層体部分１３、１４によって画定され、上記積層体部分１３、１４は、それぞれの積層体要素１０を完成させるために、同時係属中のブラジル国特許出願第ＰＩ０２０３５０７．３号に記述されているように、ステータの形成の間に互いに付設される。
【００２０】
各積層体要素１０は、対応する半径方向伸長部１３ｂ、１４ｂを支持するそれぞれ内側軸方向伸長部１３ａ、１４ａを有する、それぞれの積層体部分１３、１４を呈する。
【００２１】
各積層体要素１０を形成するために積層体部分１３、１４を相互に付設する目的で、それらは、それぞれ嵌合領域１５、１６を介して互いに嵌合され、例えば上記嵌合領域１５、１６を相互に適合させることによって、嵌合領域１５、１６の一方は、環状スタックが取り付けられるときに、嵌合領域１５、１６に設けられる対応する突出部１８に適合される少なくとも１つの凹部１７を呈する。
【００２２】
各積層体部分１３、１４は、各複数の積層体部分１３、１４の直線整列を画定して、隣り合う積層体部分１３、１４の半径方向内側縁部１３ｃ、１４ｃと並んで相互に且つ横方向に嵌合される、それぞれの半径方向内側縁部１３ｃ、１４ｃを呈する。
【００２３】
各複数の積層体部分１３、１４の直線整列の後に、これらは、上記積層体部分１３、１４の嵌合領域１５、１６における、例えば接着剤ビードの形態での、固定層の適用によって互いに保持される。
【００２４】
本発明によれば、各嵌合領域１５、１６は、少なくとも１つの第１の積層体エッジ部分２０および少なくとも１つの第２の積層体エッジ部分３０を備える外形を有しており、第１の積層体エッジ部分２０は、積層体部分１３、１４の軸方向配列と少なくとも実質的に平行である配列に従って配置され、且つ第２の積層体エッジ部分３０は、第１の積層体エッジ部分２０と角度を成して第１の積層体エッジ部分２０と合体され、積層体部分１３、１４の第１の積層体エッジ部分２０は、それぞれの積層体要素１０の形成時に、その他の積層体部分１３、１４の第１の積層体エッジ部分２０に嵌合され且つ付設され、積層体部分１３、１４の第２の積層体エッジ部分３０は、それぞれの積層体要素１０の形成時に、その他の積層体部分１３、１４の第２の積層体エッジ部分３０に付設される。
【００２５】
この構成によれば、各積層体部分１３、１４の嵌合領域１５、１６は、各１つが、積層体部分１３、１４の半径方向内側縁部１３ｃ、１４ｃに平行な少なくとも１つの取り付け領域および固定領域を画定し、そこでは、剪断力が牽引力のもとで当該領域に対して積層体部分１３、１４を一体的に固定する接着の抵抗を増大させる。
【００２６】
本解決策によれば、各嵌合領域１５、１６は、凹部１８および突出部１７の部分の少なくとも１つを呈し、少なくとも１つの第１の、および１つの第２の積層体エッジ部分２０、３０は、嵌合領域１５、１６の一方における凹部１８の少なくとも一部、およびその他の嵌合領域１５、１６における突出部１７の一部を画定する。この構成の変形において、少なくとも１つの第１の、および１つの第２の積層体エッジ部分２０、３０は、少なくとも１つの凹部１８および少なくとも１つの突出部１７を画定する。
【００２７】
相互に付設される凹部１８の部分とそれぞれの突出部１７との間の剪断領域の増大が、第１の積層体エッジ部分２０の機能であるから、第２の積層体エッジ部分３０は、必ずしも相互に嵌合されることはなく、固定された第２の積層体エッジ部分３０間の隙間が接着剤によって満たされて、単に互いに取り付けられるように、相互に相補的な外形を持たなくてもよい。
【００２８】
本発明を達成する１つの方法によれば、嵌合領域１６の少なくとも１つの凹部１８は、その他の嵌合領域１５の突出部１７の第１および第２の積層体エッジ部分２０、３０にそれぞれ嵌合され且つ付設される、少なくとも１つの第１の、および１つの第２の積層体エッジ部分２０、３０を呈する。この解決策において、凹部１８および突出部１７の部分は、相互に相補的な外形を呈しており、それゆえ相互の固定のための接着剤の量を低減し、結果として接着剤により形成されるエアギャップの作用による磁気損失を低減する。
【００２９】
本発明の特別な形態において、嵌合領域１６は、それぞれの積層体部分１４の外側に開口している少なくとも１つの凹部１８、および凹部１８の内側に開口している付加的な凹部１８ａを呈し、その他の嵌合領域１５は、少なくとも１つの突出部１７および付加的な突出部１７ａを設けており、各々は凹部１８および付加的な凹部１８ａにそれぞれ適合され、これらは、他の嵌合領域１６に設けられており、各凹部１８および付加的な凹部１８ａ、ならびに各突出部１７および付加的な突出部１７ａは、それぞれの軸を呈し、上記軸は、例えば、積層体部分１３、１４のアセンブリのための同一の軸整列に従って配置される。
【００３０】
この構成の変形においては、少なくとも１つの凹部１８および付加的な凹部１８ａ、ならびに対応する突出部１７および付加的な突出部１７ａは、同軸であり且つ、例えば、それぞれ積層体部分１３、１４の軸に位置合わせされる。
【００３１】
図解によれば、嵌合領域１６は、その他の嵌合領域１５の突出部１７および付加的な突出部１７ａに嵌合され且つ保持される、それぞれの凹部１８および付加的な凹部１８ａを呈し、上記凹部１８および突出部１７は、対応する積層体部分１３、１４の全幅を占有する。この構成において、付加的な凹部１８ａおよび付加的な突出部１７ａは、それぞれ２つの第１の積層体エッジ部分２０を横断して、１つの第２の積層体エッジ部分３０のみを呈する。
【００３２】
本発明の構造的な変形においては、付加的な凹部１８ａは、少なくとも１つの第２の積層体エッジ部分３０によって合体された、２つの第１の積層体エッジ部分２０を有し、付加的な突出部１７ａは、少なくとも１つの第２の積層体エッジ部分３０によって互いに合体された、２つの第１の積層体エッジ部分２０を有している。
【００３３】
他の構造的な選択肢においては、各それぞれの嵌合領域１５、１６の凹部１８および突出部１７は、対応する積層体部分１３、１４の幅の一部のみ、例えば対応する積層体部分１３、１４の幅の中間領域のみを占有する。
【００３４】
各積層体要素１０が取り付けられたときに、積層体部分１３、１４の相互の導入をガイドし且つ制限するために、積層体部分１３の１つの嵌合領域１５の少なくとも１つには、ストップ部分および接合部分によって、ならびにガイド手段およびガイドフォロー手段によって画定される部分の、少なくとも１つが設けられ、上記部分の他方が他の嵌合領域１５、１６に設けられる。
【００３５】
本発明によれば、嵌合領域１５、１６の１つの第２の積層体エッジ部分３０は、ストップ部分を画定し、その他の積層体部分１４の嵌合領域１６の他の第２の積層体エッジ部分３０は、積層体部分１３、１４の固定時に、上記ストップ部分に対して嵌合される接合部分を画定する。
【００３６】
特定の構成において、ストップおよび接合部分の上記積層体エッジ部分３０は、それぞれ凹部１８および突出部１７の少なくとも一部を画定する。
【００３７】
同様にして、積層体部分１３のうち１つの嵌合領域１５の第２の積層体エッジ部分３０は、ガイド手段を画定し、その他の積層体部分１４の嵌合領域１６の他の第２の積層体エッジ部分３０は、積層体部分１３、１４の固定時に上記ガイド手段に適合されるガイドフォロー手段を画定する。本解決策の特定の構成において、ガイド手段およびガイドフォロー手段の第２の積層体エッジ部分３０は、それぞれ凹部１８および突出部１７の少なくとも一部を画定する。
【００３８】
本発明の解決策によれば、各積層体要素１０を形成するための積層体部分１３、１４の相互固定は、剪断力を有する領域の提供に応じて、且つ積層体部分１３、１４の間の各嵌合領域１５、１６における合計結合領域の増大に応じて、より大きな抵抗を示し、積層体部分１３、１４の間のそのような領域の増大は、積層体１０の分割の結果として、および接着剤の厚み、嵌合領域の最小の相互固定エリア等により生成されるエアギャップ効果の結果として生じる、磁気損失を低減し、相互固定エリアはそれぞれの積層体部分１３、１４の軸に直交する。接着剤の厚みの結果として得られるギャップは、有効接触面積を増やすことによって補償され、例えば接合領域のより大きな拡張、特に積層体部分１３、１４の図示された形状によって増進される。
【００３９】
これらの利点に加えて、本解決策は、凹部１８および対応する突出部１７におけるガイド手段およびガイドフォロー手段の提供によって、積層体部分１３、１４がより容易に適合されることをさらに可能とする。
【図面の簡単な説明】
【００４０】
【図１】本発明に従って、積層体部分によって形成される積層体の環状スタックを有する既知のステータ構造を説明する、リニアモータの縦断面図である。
【図２】図１に図解された積層体の環状スタックにおいて使用されるタイプの単一片積層体の側面図である。
【図３】従来技術に従って形成される、環状積層体スタックの積層体の２つの部分の側面図である。
【図４】本発明に従って形成される、環状積層体スタックの積層体の２つの部分の側面図である。
【図１】
2007534285.tif 000003
【図２】
2007534285.tif 000004
【図３】
2007534285.tif 000005
【図４】
2007534285.tif 000006
【手続補正書】
【提出日】平成17年3月29日(2005.3.29)
【手続補正１】
【補正対象書類名】特許請求の範囲
【補正対象項目名】全文
【補正方法】変更
【補正の内容】
【特許請求の範囲】
【請求項１】
積層体要素（１０）の環状スタック内に取り付けられた管状コイル（６）を有するリニア電気モータのステータを形成するための、積層体要素の環状スタックであり、各積層体要素（１０）は、それぞれの積層体要素（１０）を完成させるように、互いに付設される２つの積層体部分（１３、１４）によって画定される、２つの外側軸方向伸長部（１２）および１つの内側軸方向伸長部（１１）を有し、それぞれの嵌合領域（１５、１６）を呈する各積層体部分（１３、１４）は、他方の積層体部分（１３、１４）の嵌合領域（１５、１６）に設けられるそれぞれの突出部（１７）を嵌合し且つ保持するための少なくとも１つの凹部（１８）を有する、環状スタックであって、各嵌合領域（１５、１６）は、少なくとも１つの第１の、および少なくとも１つの第２の積層体エッジ部分（２０、３０）を備える外形を有し、第１の積層体エッジ部分（２０）は、積層体部分（１３、１４）の軸方向配列に少なくとも実質的に平行である配列に従って配置され、第２の積層体エッジ部分（３０）は、第１の積層体エッジ部分（２０）と角度を成して第１の積層体エッジ部分（２０）に結合され、積層体部分（１３、１４）の第１の積層体エッジ部分（２０）は、それぞれの積層体要素（１０）の形成時にその他の積層体部分（１３、１４）の第１の積層体エッジ部分（２０）に嵌合され且つ付設され、積層体部分（１３、１４）の第２の積層体エッジ部分（３０）は、それぞれの積層体要素（１０）の形成時にその他の積層体部分（１３、１４）の第２の積層体エッジ部分（２０）に付設され、嵌合領域（１６）は、それぞれの積層体部分（１４）の外部に開口される少なくとも１つの凹部（１８）、および凹部（１８）の内部に開口する付加的な凹部（１８ａ）を呈し、その他の嵌合領域（１５）には、その他の嵌合領域（１６）に設けられる凹部（１８）および付加的な凹部（１８ａ）にそれぞれ適合される、突出部（１７）および付加的な突出部（１７ａ）が設けられることを特徴とする、スタック。
【請求項２】
少なくとも１つの第１の、および１つの第２の積層体エッジ部分（２０、３０）は、嵌合領域（１６）のうち１つにおける凹部（１８）の少なくとも一部、および他の嵌合領域（１５）における突出部（１７）の一部を画定することを特徴とする、請求項１に記載のスタック。
【請求項３】
少なくとも１つの第１の、および１つの第２の積層体エッジ部分（２０、３０）は、少なくとも１つの凹部（１８）および少なくとも１つの突出部（１７）を画定することを特徴とする、請求項２に記載のスタック。
【請求項４】
嵌合領域（１６）の少なくとも１つの凹部（１８）は、他方の嵌合領域（１５）の突出部（１７）の第１のおよび第２の積層体エッジ部分（２０、３０）にそれぞれ嵌合され且つ付設されるように、少なくとも１つの第１の、および１つの第２の積層体エッジ部分（２０、３０）を呈することを特徴とする、請求項１に記載のスタック。
【請求項５】
凹部（１８）および付加的な凹部（１８ａ）は、積層体部分（１３、１４）のアセンブリのための同一の軸方向配列に従って配置される、それらの軸を有することを特徴とする、請求項４に記載のスタック。
【請求項６】
少なくとも１つの凹部（１８）およびそれぞれの付加的な凹部（１８ａ）は、同軸であることを特徴とする、請求項５に記載のスタック。
【請求項７】
付加的な凹部（１８ａ）は、少なくとも１つの第２の積層体エッジ部分（３０）によって結合された２つの第１の積層体エッジ部分（２０）を有し、付加的な突出部（１７ａ）は、少なくとも１つの第２の積層体エッジ部分（３０）によって互いに結合される、２つの第１の積層体エッジ部分（２０）を有することを特徴とする、請求項１に記載のスタック。
【請求項８】
一方の積層体部分（１３）の嵌合領域（１５）の第２の積層体エッジ部分（３０）は、ストップ部分を画定し、且つ他方の積層体部分（１４）の嵌合領域（１６）の他の第２の積層体エッジ部分（３０）は、積層体部分（１３、１４）の固定時の前記ストップ部に対して嵌合される接合部分を画定することを特徴とする、請求項１に記載のスタック。
【請求項９】
ストップおよび接合部分の第２の積層体エッジ部分（３０）は、それぞれの凹部（１８）および突出部（１７）の少なくとも一部を画定することを特徴とする、請求項８に記載のスタック。
【請求項１０】
一方の積層体部分（１３）の嵌合領域（１５）の第２の積層体エッジ部分（３０）は、ガイド手段を画定し、且つ他方の積層体部分（１４）の嵌合領域（１６）の他の第２の積層体エッジ部分（３０）は、積層体部分（１３、１４）の固定時の前記ガイド手段に適合されるガイドフォロー手段を画定することを特徴とする、請求項１に記載のスタック。
【請求項１１】
ガイド手段およびガイドフォロー手段の第２の積層体エッジ部分（３０）は、それぞれの凹部（１８）および突出部（１７）の少なくとも一部分を画定することを特徴とする、請求項１０に記載のスタック。
【請求項１２】
各それぞれの嵌合領域（１５、１６）の凹部（１８）および突出部（１７）は、対応する積層体部分（１３、１４）の全幅を占有することを特徴とする、請求項１に記載のスタック。
【請求項１３】
各それぞれの嵌合領域（１５、１６）の凹部（１８）および突出部（１７）は、対応する積層体部分（１３、１４）の幅の一部のみを占有することを特徴とする、請求項１２に記載のスタック。
【請求項１４】
各それぞれの嵌合領域（１５、１６）の凹部（１８）および突出部（１７）は、対応する積層体部分（１３、１４）の幅の中央領域のみを占有することを特徴とする、請求項１３に記載のスタック。
【請求項１５】
相互に付設される２つの積層体部分（１３、１４）の嵌合領域（１５、１６）は、固定手段を受容することを特徴とする、請求項１に記載のスタック。
【請求項１６】
固定手段は、接着性材料によって画定されることを特徴とする、請求項１５に記載のスタック。
【国際調査報告】
2007534285.tif 000007
2007534285.tif 000008
2007534285.tif 000009